(57)【要約】      （修正有）【課題】点検口周辺において切断された野縁材または野縁受け材の端縁により作業者が負傷することを回避するための保護部材としてのキャップを提供する。【解決手段】下地材Ａの切断部のコ字形端縁ａ１に当接するコ字形当接部１と、このコ字形当接部に連続しつつ上記野縁材または野縁受け材の切断部近傍の外側表面ａ２および内側表面ａ３ならびに対向片先端縁ａ４，ａ５に当接する表面当接部２，３，４，５と、この表面当接部のうち内面表面に当接する表面当接部の先端縁に斜状に連続して設けられた案内部２１とで構成されている。【選択図】図１
0003147154.tif 000002
【実用新案登録請求の範囲】
【請求項１】
薄肉の板材を略コ字形に折り曲げて構成された野縁材または野縁受け材の切断部先端に装着する天井下地材用キャップであって、上記切断部のコ字形端縁に当接するコ字形当接部と、このコ字形当接部に連続しつつ上記野縁材または野縁受け材の切断部近傍の外側表面および内側表面ならびに対向片先端縁に当接する表面当接部と、この表面当接部のうち内面表面に当接する表面当接部の先端縁に斜状に連続して設けられた案内部とを備えたことを特徴とする天井下地材用キャップ。
【請求項２】
薄肉の板材を略コ字形に折り曲げて構成された野縁材または野縁受け材の切断部先端に装着する天井下地材用キャップであって、上記切断部のコ字形端縁に当接するコ字形当接部と、上記野縁材または野縁受け材の対向片の外側表面に当接する対向片外面当接部と、上記対向片の内側表面に当接する対向片内面当接部と、この対向片内面当接部の先端縁に斜状に連続して設けられた案内部とを備えたことを特徴とする天井下地材用キャップ。
【請求項３】
薄肉の板材を略コ字形に折り曲げ、かつ、対向片の先端縁を内向きに折り返して構成された野縁材において、上記野縁材の切断部先端に装着する天井下地材用キャップであって、上記切断部のコ字形端縁に当接するコ字形当接部と、上記野縁材の対向片の外側表面に当接する対向片外面当接部と、上記対向片の内側表面に当接する対向片内面当接部と、この対向片内面当接部の先端縁に斜状に連続して設けられた対向片内側案内部と、上記野縁材の対向片の中間に位置する中央片の内側表面に当接する中央片内面当接部と、この中央片内面当接部の先端縁に斜状に連続して設けられた中央片内側案内部と、上記対向片外面当接部に連続しつつ上記野縁材の対向片先端縁に当接する対向片端縁当接部とを備えたことを特徴とする天井下地材用キャップ。
【請求項４】
薄肉の板材を略コ字形に折り曲げ、かつ、対向片の先端縁を内向きに折り返して構成された野縁材において、上記野縁材の切断部先端に装着する天井下地材用キャップであって、上記切断部端縁に当接する矩形の切断部端縁当接部と、上記野縁材の対向片の外側表面に当接する対向片外面当接部と、上記対向片の内側表面に当接する対向片内面当接部と、この対向片内面当接部の先端縁に斜状に連続して設けられた対向片内側案内部と、上記対向片外面当接部に連結されて上記野縁材の対向片先端縁に当接する対向片端縁当接部とを備えたことを特徴とする天井下地材用キャップ。
【請求項５】
前記対向片端縁当接部は、前記切断部端縁当接部にヒンジ部を介して連続する対向片端縁当接部である請求項４記載の天井下地材用キャップ。
【請求項６】
前記対向片外面当接部は、その一部に被嵌合部を有する対向片外面当接部であり、前記対向片端縁当接部は、上記被嵌合部に嵌合可能な嵌合突起を備えた対向片端縁当接部である請求項４または５に記載の天井下地材用キャップ。
【考案の詳細な説明】
【技術分野】
【０００１】
本考案は、天井下地材の切断部先端に装着するキャップに関し、特に、断面コ字形の野縁材またはこの野縁材を支持する野縁受け材の切断部端縁を被覆し、作業者が当該切断部端縁に触れて負傷することを防御するためのキャップに関するものである。
【背景技術】
【０００２】
天井下地材は、周知のとおり、メインバー（ダブル野縁またはＷバーとも称する）およびスモールバー（シングル野縁またはＳバーとも称す）と呼ばれる野縁材が適宜間隔で配置されるとともに、これらの野縁材が野縁受け材によって支持されて、天井材が張設できる下地を構成するものである（特許文献１ないし３参照）。これらの野縁材および野縁受け材は、いずれも板材をコ字形に折り曲げて構成されたものであり、特に、野縁材は、対向片の先端縁が内側に折り返されており、対向片の中間に位置する中央片には僅かな波状補強が施されているものであった。
【特許文献１】実開昭６３−６２５１２号（実願昭６１−１５６６６９号）の全文（明細書２頁−３頁、第７図）
【特許文献２】特開２００４−３３２３２６号公報（３頁、図２）
【特許文献３】特開２００６−１６８４８号公報（３頁−４頁、図１）
【考案の開示】
【考案が解決しようとする課題】
【０００３】
上記天井下地材は、天井材を張設するための下地を構成するためのものであり、前掲の特許文献１ないし３は、これらの部材の連結または支持における構造にかかるものであった。しかしながら、現実の天井裏の下地材は、野縁材および野縁受け材のみで構成されるものではなく、点検口のための下地材が配設されており、この点検口のための下地材は、点検口を張設しつつ作業者の出入りを可能にするスペースが確保されなければならないものであった。
【０００４】
そこで、点検口を設ける位置には、点検口取付用の軽量溝形鋼が野縁材に直交して配設されるとともに、点検口予定位置を通過する野縁材を切断し、所定のスペースが確保されていた。しかし、点検口予定位置において切断された野縁材は、薄肉の切断部端縁が露出することとなり、また、コ字形の対向片端縁の切断部先端は鋭利な尖端を構成することとなり、点検口から出入りする作業者が、これらの先端縁または尖端に触れることによって負傷することがあった。そこで、点検口から出入りする作業者が、このような点検口周辺の野縁材等によってふしょうすることを防止できる天井下地材の構造または保護部材の提供が切望されていた。
【０００５】
本考案は、上記諸点にかんがみてなされたものであって、その目的とするところは、点検口周辺において切断された野縁材または野縁受け材の端縁により作業者が負傷することを回避するための保護部材としてのキャップを提供することである。
【課題を解決するための手段】
【０００６】
そこで、本考案は、薄肉の板材を略コ字形に折り曲げて構成された野縁材または野縁受け材の切断部先端に装着する天井下地材用キャップであって、上記切断部のコ字形端縁に当接するコ字形当接部と、このコ字形当接部に連続しつつ上記野縁材または野縁受け材の切断部近傍の外側表面および内側表面ならびに対向片先端縁に当接する表面当接部と、この表面当接部のうち内面表面に当接する表面当接部の先端縁に斜状に連続して設けられた案内部とを備えたことを特徴とする天井下地材用キャップを要旨とする。
【０００７】
上記構成によれば、表面当接部が野縁材または野縁受け材の切断部近傍に当接することにより、野縁材または野縁受け材の端縁に天井下地用キャップ全体を装着することができる。このとき、コ字形当接部は、野縁材または野縁受け材の切断部端縁に当接することとなるから、当該野縁材または野縁受け材を切断した状態の鋭利な端縁を被覆することができる。また、この天井下地材用キャップを野縁材または野縁受け材に装着する際は、表面当接部によって包囲させる溝状部分に当該野縁材または野縁受け材の切断部端縁を侵入させることによることとなる。このとき、表面当接部の一部に連続する案内部が上記溝状部分開口を拡大しているため、上記切断部端縁の侵入を容易にするものである。
【０００８】
また、本考案は、薄肉の板材を略コ字形に折り曲げて構成された野縁材または野縁受け材の切断部先端に装着する天井下地材用キャップであって、上記切断部のコ字形端縁に当接するコ字形当接部と、上記野縁材または野縁受け材の対向片の外側表面に当接する対向片外面当接部と、上記対向片の内側表面に当接する対向片内面当接部と、この対向片内面当接部の先端縁に斜状に連続して設けられた案内部とを備えたことを特徴とする天井下地材用キャップをも要旨としている。
【０００９】
上記構成によれば、野縁材または野縁受け材の対向片が、対向片外面当接部と対向片内面当接部とによって挟着されることとなるから、この挟着により、コ字形当接部は、野縁材または野縁受け材の切断部端縁に当接して、当該切断部の鋭利な端縁を被覆することができる。なお、対向片内面当接部には案内部が設けられているため、対向片外面当接部と対向片内面当接部とによって構成される溝状部分に野縁材または野縁受け材の対向片を侵入させることが容易となる。
【００１０】
さらに、本考案は、薄肉の板材を略コ字形に折り曲げ、かつ、対向片の先端縁を内向きに折り返して構成された野縁材において、上記野縁材の切断部先端に装着する天井下地材用キャップであって、上記切断部のコ字形端縁に当接するコ字形当接部と、上記野縁材の対向片の外側表面に当接する対向片外面当接部と、上記対向片の内側表面に当接する対向片内面当接部と、この対向片内面当接部の先端縁に斜状に連続して設けられた対向片内側案内部と、上記野縁材の対向片の中間に位置する中央片の内側表面に当接する中央片内面当接部と、この中央片内面当接部の先端縁に斜状に連続して設けられた中央片内側案内部と、上記対向片外面当接部に連続しつつ上記野縁材の対向片先端縁に当接する対向片端縁当接部とを備えたことを特徴とする天井下地材用キャップを要旨とするものである。
【００１１】
上記構成によれば、基本的には、対向片外面当接部と対向片内面当接部とにより野縁材の対向片を挟着するものであるが、野縁材の対向片は、その先端縁が内向きに折り返されているため、対向片の先端縁には折り返し部分が厚肉となり、この厚肉部分を対向片内面当接部の一部周縁と対向片端縁当接部とによって挟持させることとなる。
【００１２】
また、本考案は、薄肉の板材を略コ字形に折り曲げ、かつ、対向片の先端縁を内向きに折り返して構成された野縁材において、上記野縁材の切断部先端に装着する天井下地材用キャップであって、上記切断部端縁に当接する矩形の切断部端縁当接部と、上記野縁材の対向片の外側表面に当接する対向片外面当接部と、上記対向片の内側表面に当接する対向片内面当接部と、この対向片内面当接部の先端縁に斜状に連続して設けられた対向片内側案内部と、上記対向片外面当接部に連結されて上記野縁材の対向片先端縁に当接する対向片端縁当接部とを備えたことを特徴とする天井下地材用キャップを要旨とする。
【００１３】
上記構成によれば、対向片先端縁を折り返した野縁材に天井下地材用キャップを装着する際、対向片端縁当接部が、対向片外面当接部に連結されることで、抵抗片内面当接部の一部周縁と対向片外面当接部との間で折り返し部分が挟持されることとなる。そして、上記対向片端縁当接部の連結状態により、当該対向片端縁当接部と対向片内面当接部との間隔を変化させることができ、折り返し部分の挟持状態を安定させることができる。
【００１４】
上記考案において、対向片端縁当接部は、切断部端縁当接部にヒンジ部を介して連続する対向片端縁当接部とすることができる。このような構成の場合、対向片端縁当接部を切断部端縁当接部と一体的に構成することができ、一部の部品が分離して使用不可能となることを防止できる。また、ヒンジ部によって回転させることにより所定の位置に対向片端縁当接部を配置させることができるため、対向片外面当接部との連結個所を一定にすることができる。従って、簡易な連結機構を選択し得ることとなる。
【００１５】
また、上記考案において、対向片外面当接部は、その一部に被嵌合部を有する対向片外面当接部であり、対向片端縁当接部は、上記被嵌合部に嵌合可能な嵌合突起を備えた対向片端縁当接部とすることができる。このような構成の場合、簡易な連結機構により、対向片外面当接部に対向片端縁当接部を連結することが可能となる。
【考案の効果】
【００１６】
本考案によれば、野縁材または野縁受け材を切断したときの切断部端縁にキャップを装着することができるので、このキャップを点検口周辺において切断された野縁材または野縁受け材に装着することにより、当該点検口を出入りする作業者が、この種の材料の端縁に触れて負傷することを回避できる。また、本考案のキャップは、いずれも案内部を備えているため、切断部端縁に装着することが容易であり、天井下地材を構築する際の作業能率を低下させることはない。しかも、仮に、天井下地材の構築時に本考案のキャップを装着していなかったとしても、点検口を利用する作業者が、点検口から屋根裏に侵入する際、天井下地材の切断部端縁に本考案のキャップを装着したうえで、点検口を使用することにより作業者が負傷せずに出入りできることが可能となる。
【考案を実施するための最良の形態】
【００１７】
以下、本考案の実施の形態を図面に基づいて説明する。第一の実施形態は、図１に示すように、野縁材または野縁受け材（以下、総称して下地材という）Ａの切断部端縁ａ１に当接するコ字形当接部１を備えており、さらに、内側表面ａ２、外側表面ａ３および先端縁ａ４，ａ５に当接する内面当接部２、外面当接部３および端縁当接部４，５（これらを総称して表面当接部という）を備え、内面当接部２の端縁には案内部２１が設けられた下地用キャップＣＰである。
【００１８】
下地材Ａは、図示のように、板状材を折曲して対向する二片Ａ１，Ａ２（これを対向片という）、および、この対向片Ａ１，Ａ２の中間に位置する一片Ａ３（これを中央片という）によって横断面略コ字形に構成され、縦方向に連続する長尺な部材である。従って、下地材Ａを適当な長さで切断すると、その切断部端縁の形状が横断面形状と同じ略コ字形となるのである。そこで、本実施形態のキャップＣＰは、当該略コ字形端縁を被覆するように装着し得る構成となっている。すなわち、内面当接部２と外面当接部３との中間には、下地材Ａの肉厚に相当する間隙を有しており、全体として略コ字形の溝状部分６が形成されている。そして、この溝状部分６に下地材Ａの先端部分ａ１〜ａ５を侵入させることにより、下地材Ａの先端縁ａ１は、コ字形当接部１に当接し、その周辺ａ２〜ａ５が表面当接部２，３，４によって被覆されることとなるのである。
【００１９】
本実施形態では、図２に示すように、外面当接部３は、下地材Ａの長手方向Ｘに向かって、内面当接部２よりも長く構成されており、下地材ＡにキャップＣＰを装着する際、この外面当接部３が最初に下地材Ａに当接することとなる（図２（ａ）参照）。他方、内面当接部２の端縁（下地材Ａに対向する側の端縁）には、先端に向かって徐々に外面当接部３との間隔を拡大するような勾配を有する案内部２１が連続して設けられており、外面当接部３を下地材Ａの外側表面ａ３に当接させた状態で、下地材Ａの先端部分を溝状部分６に侵入させるための案内を可能にしている（図２（ｂ）参照）。
【００２０】
本実施形態は、上記のような構成であるから、下地材Ａを所定長さに切断した場合、その切断部が略コ字形になっている端縁をキャップＣＰのコ字形溝状部分６に侵入することで、当該キャップＣＰを切断部端縁に装着でき、下地材Ａの切断部端縁を被覆させることができる。そして、上記溝上部分６に端縁を侵入させる際には、下地材Ａの外側表面ａ３をキャップＣＰの外面当接部３の内側に当接し、徐々に溝状部分６の内部に進めることにより、内側表面ａ２は、内面当接部２の案内部２１によって、侵入方向が案内されて、下地材Ａの先端を溝状部分６の内部に確実に侵入させることができるのである（図２（ｃ）参照）
。
【００２１】
このように装着されたキャップＣＰは、内面当接部２と外面当接部３の中間において面接触されつつ緩やかに挟持され、装着状態が保持されることとなる。すなわち、内面当接部２と外面当接部３との間隙（溝状部分６の隙間寸法）が僅かに下地材Ａの肉厚よりも小さくなるように構成されることにより、変形可能な内面当接部２および外面当接部３が弾性変形の復元力によって、緩やかな圧着状態を生じさせるのである。また、下地材Ａの対向片Ａ１，Ａ２に当接するように、対向して設けられている外面当接部３の両側表面間の寸法が、当該下地材Ａの対向片Ａ１，Ａ２の外側表面間の寸法よりも僅かに小さく構成される場合には、外側当接部３が下地材Ａの対向片Ａ１，Ａ２の外側表面に密着して、上記装着状態の保持を補助させ得るものである。
【００２２】
ここで、キャップＣＰが装着されるべき下地材Ａの天井裏の状態を説明する。図３に示すように、天井裏における天井下地材Ａは、適宜間隔で平行に配置された野縁受け材ＣＢと、この野縁受け材ＣＢに直交するダブル野縁ＷＢを適宜間隔で配置し、このダブル野縁ＷＢの中間にシングル野縁ＳＢがダブル野縁ＷＢと平行に配置されている。そして、野縁受け材ＣＢに交差する地点において、ダブル野縁ＷＢおよびシングル野縁ＳＢが結合部材によって連結されている。野縁ＷＢ，ＳＢおよび野縁受け材ＣＢは、いずれも断面略コ字形であるが、配置する際の状態は少し異なる。すなわち、野縁ＷＢ，ＳＢは、対向片を上下方向に向け、中央片を水平な状態として配置されるが、野縁受け材ＣＢは、対向片が水平な状態となり、対向片が上下方向に向いて配置される。これは、野縁受け材ＣＢがＣ型チャンネル鋼のように梁材として機能するのに対し、野縁ＷＢ，ＳＢは、天井仕上げ材（天井板）Ｄの下地として機能するためである。従って、天井仕上げ材（天井板）Ｄは、上記のように配置された野縁ＷＢ，ＳＢの中央片の表面に当接されつつ、当該野縁ＷＢ，ＳＢに固着されるのである。
【００２３】
そこで、このような構造の屋根裏において、点検口を配置するためには、点検口予定個所Ｅのダブル野縁ＷＣまたはシングル野縁ＳＢを切断し、また、場合によっては野縁受け材ＣＢをも切断して、点検口に必要な空間が確保されることとなる。この種の工事において、上記各部材ＣＢ，ＳＢ，ＷＢの切断は、それらを配設する際に施工現場において切断されるのである。そして、これらの部材ＣＢ，ＳＢ，ＷＢを切断するための道具としては、ニッパ等の汎用器具であることから、切断部には歪みやバリが生じていることが多いものである。本実施形態の天井下地用キャップＣＰは、このような切断部端縁を被覆するものである。そして、このように、切断部端縁を被覆することにより、点検口の設置工事の際に、または、工事終了後に点検口から出入りする際に、野縁ＷＢ，ＳＢまたは野縁受け材ＣＢの切断部に接触して負傷することが防止できる。
【００２４】
次に、第二の実施形態について説明する。本実施形態は専ら野縁材に使用されるキャップである。図４は、野縁材について使用する状態を示しており、図４（ａ）はダブル野縁ＷＢについて、図４（ｂ）はシングル野縁ＳＢについて、それぞれ示している。この図に示すように、本実施形態は、第一の実施形態と同様に、コ字形当接部１０１、内面当接部１０２、外面当接部１０３および端縁当接部１０４，１０５を備えているが、外面当接部１０３のうち、中央片Ａ３の外側表面に当接する部分が設けられていない構成となっている。これを詳細に表現すると、野縁材Ａの切断部端縁に当接するコ字形当接部１０１と、野縁材Ａの対向片Ａ１，Ａ２および中央片Ａ３のそれぞれの内側表面に当接する対向片内面当接部１２１，１２２および中央片内面当接部１２３と、野縁材Ａの対向片Ａ１，Ａ２の外側表面に当接する対向片外面当接部１３１，１３２と、野縁材Ａの対向片Ａ１，Ａ２の先端縁ａ４，ａ５に当接する対向片端縁当接部１０４，１０５とを備えており、上記対向片内面当接部１２１，１２２および中央片内面当接部１２３には、それぞれ対向片内側案内部１２４，１２５および中央片内側案内部１２６が設けられている。
【００２５】
そこで、本実施形態では、内面当接部１０２と外面当接部１０３との間において、第一の実施形態のようなコ字状の溝部分６が構成されず、対向片内面当接部１２１，１２２と対向片外面当接部１３１，１３２との間で二本のスリット状の溝状部分１６１，１６２が構成されている。また、対向片内面当接部１２１，１２２は、対向片端縁当接部１０４，１０５に至るまで構成されておらず、対向片端縁当接部１０４，１０５は、対向片内面当接部１２１，１２２との間に所定の間隙を有しており、この間隙部分には、略Ｌ字形のカバー部１０７，１０８が設けられている。
【００２６】
このような構成により、特殊な形状の野縁材Ａに対応できるのである。すなわち、軽量化された野縁材Ａは、非常に薄肉の板材を折り曲げて構成されるものであるが、板厚が薄くなることにともなう強度低下を担保するため、図４において示されているように、中央片Ａ３は波状を構成するように補強され、対向片Ａ１，Ａ２の先端縁は、内向きに折り返された構造となっている。そこで、この折り返し部Ａ１１，Ａ２１の内側表面については、対向片内面当接部１２１，１２２によって当接させることができないことから、当該折り返し部Ａ１１，Ａ２１が存在する範囲において、対向片端縁当接部１０４，１０５との間に間隙を設けているのである。そして、この間隙の存在により、対向片内面当接部１２１，１２２の端縁部分は、折り返し部Ａ１１，Ａ２１の下端縁に当接（接触）することとなり、当該端縁部分と対向片端縁当接部１０４，１０５の表面により折り返し部Ａ１１，Ａ２１を挟持することができるように構成されているのである。
【００２７】
また、上述のように、野縁材Ａ（ダブル野縁ＷＢまたはシングル野縁ＳＢ）の中央片Ａ３は、天井仕上げ材（天井板）を張設する際の基準となるため、その外側表面に当接部が存在しないことが好ましい。そのため、本実施形態では、中央片Ａ３の外側表面に当接する当接部を設けていないのである。しかし、このように構成することにより、中央片内面当接部１２３がバネとして機能させることができる。すなわち、上記のとおり、溝状部分１６１，１６２は対向片Ａ１，Ａ２のみが侵入できるスリット状であるため、野縁材Ａに対する固着力は両溝状部分１６１，１６２の弾性力による圧着によって得られることとなるが、この圧着に必要な弾性力は、対向片内面当接部１２１，１２２の復元力にのみ頼るのではなく、中央片内面当接部１２３が対向片Ａ１，Ａ２の対向面に挟まれて変形することにより、その復元力が対向片内面当接部１２１，１２２を外向きに押圧するように作用することとなるのである。
【００２８】
なお、各案内部１２４，１２５，１２６は、野縁材Ａに装着する際の位置を案内する機能を有するが、対向片内面当接部１２１，１２２に設けられた案内部１２４，１２５は、折り返し部Ａ１１，Ａ１２との当接領域を拡大させる機能を有している。つまり、案内部１２４〜１２６は、第一の実施形態と同様に、先端を内向きに傾斜する構成であるため、対向片内面当接部１２１，１２２の上端縁においても案内部１２４，１２５の上端縁は内向きに傾斜しており、折り返し部Ａ１１，Ａ１２の先端縁（下端縁）に対向する対向片内面当接部１２１，１２２の上端縁と相俟って、広い面積での当接を可能にするのである。
【００２９】
次に、第三の実施形態について説明する。本実施形態は、第二の実施形態の一部を変更したものであって、図５に示すように、第二の実施形態におけるコ字形当接部１０１に代えて矩形の板状当接部（切断部端縁当接部）２０１を構成し、また、個別の対向片端縁当接部１０４，１０５に代えて一体的な対向片端縁当接部２０４を構成したものである。本実施形態では、対向片外面当接部２３１，２３２を広い面積の切断部端縁当接部２０１に連続させることにより、当該当接部２３１，２３２を補強すると同時に、内面当接部２０２をも補強するものである。また、対向片端縁当接部２０４が単一の板材で構成されることにより、折り返し部Ａ１１，Ａ１２に対する当接状態の均一化が図られている。
【００３０】
ここで、図６（ａ）に示すように、対向片端縁当接部２０４が切断部端縁当接部２０１にヒンジ部２１１を介して連続する形態とすることができる。この場合、対向片外面当接部２３１，２３２との連結は接着または機械的連結を必要とするが、プラスチック成型品により製造するためには、板状の対向片端縁当接部２０４を切断部端縁当接部２０１に連続して構成することが好ましい。この場合のヒンジ部２１１は、折り曲げ位置に沿って直線状に薄肉部を構成したものであり、この薄肉部が湾曲できる範囲において、対向片端縁当接部２０４がヒンジ部２１１を軸として回動できるものである。
【００３１】
また、上記対向片端縁当接部２０４が対向片外面当接部２３１，２３２に機械的に連結するためには、図６（ｂ）に示すように、対向片外面当接部２３１，２３２の一部を凹状にしてなる被嵌合部２５１，２５２と、対向片端縁当接部２０４の一部を突出させた嵌合突起２４１，２４２とを設ける構成とすることができる。このような構成の場合、嵌合突起２４１，２４２が被嵌合部２５１，２５２に嵌合される状態により、対向片内面当接部２２１，２２２の先端縁との間隙を調整することができる。従って、折り曲げ部Ａ１１，Ａ１２（図５）が変形するような場合においても対応できるものである。
【００３２】
本考案の実施形態は上記のとおりであるが、本考案の趣旨を逸脱しない範囲において種々の態様をとることができる。例えば、第一の実施形態においては、対向片の内側表面に当接する内面当接部は、対向片の端縁に当接する端縁当接部に連続するように構成されているが（図１参照）、この内面当接部と、端縁当接部との間に所定の間隙を有する構成とすることも可能である。この場合、第二の実施形態のように略Ｌ字形のカバー部１０７，１０８を構成することも可能であるが（図４参照）、この種のカバー部１０７，１０８を設けない態様も可能である。そして、第三の実施形態（図５または図６（ａ）参照）のように、対向片端縁当接部２０４が一枚の板材で構成される場合においても、上記と同様に略Ｌ字形カバー部２０７，２０８を設けない態様とすることができる（図６（ｃ））。
【００３３】
また、上記形態において、下地材Ａの中央片外側に当接する部分を設けない構成とすることも可能である。特に、野縁材（ダブル野縁ＷＢまたはシングル野縁ＳＢ）に使用するときには、中央片Ａ３の外側表面に外面当接部３が当接しないことが好適な場合もあり得るため、そのような場合に使用可能となる。
【００３４】
なお、上記実施形態は、点検口を代表例として切断の必要性を説明したが、点検口に限らず、他の用途のために下地材Ａを切断する必要性がある場合には、当該切断により出現する切断部端縁を被覆する際に使用できる。
【図面の簡単な説明】
【００３５】
【図１】本考案の第一の実施形態を示す説明図である。
【図２】第一の実施形態の使用態様を示す説明図である。
【図３】天井裏の下地材の状態を示す説明図である。
【図４】本考案の第二の実施形態を示す説明図である。
【図５】本考案の第三の実施形態を示す説明図である。
【図６】第三の実施形態の他の態様を示す説明図である。
【符号の説明】
【００３６】
１，１０１，２０１  コ字形当接部
２，１０２，２０２  内面当接部
３，１０３  外面当接部
４，５  端縁当接部
６    溝状部分
２１  案内部
１０４，１０５，２０５  対向片端縁当接部
１０７，１０８，２０７，２０８  カバー部
１２１，１２２，２２１，２２２  対向片内面当接部
１３１，１３２，２３１，２３１  対向片外面当接部
１２３，２２３  中央片内面当接部
１２４，１２５  対向片内側案内部
１２６  中央片内側案内部
１６１，１６２  溝状部分
２１１  ヒンジ部
２４１，２４２  嵌合突起
２５１，２５２  被嵌合部
Ａ  下地材
Ａ１，Ａ２  対向片
Ａ３  中央片
Ａ１１，Ａ２１
ａ１  切断部端縁
ａ２  内側表面
ａ３  外側表面
ａ４，ａ５  先端縁
ＣＰ  キャップ
ＣＢ  野縁受け材
ＳＢ  シングル野縁
ＷＢ  ダブル野縁
【図１】
0003147154.tif 000003
【図２】
0003147154.tif 000004
【図３】
0003147154.tif 000005
【図４】
0003147154.tif 000006
【図５】
0003147154.tif 000007
【図６】
0003147154.tif 000008